(57)【要約】【課題】通常通信経路のトラフィックの増大を軽減し限られた通信帯域を圧迫することなく、通常通信経路から非常通信経路への切り替え処理を円滑に実行する。【解決手段】ローカル管理装置１０は、上位管理装置２０から通常通信経路ＮＮを介して送信される切替指示要求信号を受信したことに応じて、通常通信経路ＮＮから非常通信経路ＡＮへと切り替えるよう制御することで実現する。【選択図】図１
2009033312.tif 000002
【特許請求の範囲】
【請求項１】
複数の被管理端末装置と接続されたローカル管理装置と、通常時に利用される通常通信経路または非常時に利用される非常通信経路を介して前記ローカル管理装置と通信を行うことで、前記複数の被管理端末装置から取得される情報に基づき監視処理を行う上位管理装置とを備える監視システムにおいて、
前記ローカル管理装置は、
前記通常通信経路と前記非常通信経路とを切り替える切替手段と、
前記上位管理装置から通常通信経路を介して送信される切替指示要求を受信したことに応じて、通常通信経路から非常通信経路へと切り替えるよう前記切替手段を制御する制御手段とを有すること
を特徴とする監視システム。
【請求項２】
前記ローカル管理装置は、前記切替指示要求を受信してから所定期間、通常通信経路から非常通信経路への切り替えが必要かどうかを判断する判断手段を有し、
前記制御手段は、前記判断手段によって、切り替えが必要であると判断されたことに応じて、通常通信経路から非常通信経路へと切り替えるよう前記切替手段を制御すること
を特徴とする請求項１記載の監視システム。
【請求項３】
前記ローカル管理装置は、前記通常通信経路の利用が可能かどうかを前記上位管理装置に問い合わせる確認要求信号を生成する確認要求信号生成手段を有し、
前記ローカル管理装置の判断手段は、前記切替指示要求を受信してから所定期間となるまでの間、前記上位管理装置から前記通常通信経路を介して送信される確認要求信号に対する応答信号である確認応答信号を受信できている場合、前記確認要求信号の送信周期を延ばしていくこと
を特徴とする請求項２記載の監視システム。
【請求項４】
複数の被管理端末装置と接続されたローカル管理装置と、通常時に利用される通常通信経路または非常時に利用される非常通信経路を介して前記ローカル管理装置と通信を行うことで、前記複数の被管理端末装置から取得される情報に基づき監視処理を行う上位管理装置とを備える監視システムのローカル管理装置において、
前記通常通信経路と前記非常通信経路とを切り替える切替手段と、
前記上位管理装置から前記通常通信経路を介して送信される切替指示要求を受信したことに応じて、通常通信経路から非常通信経路へと切り替えるよう前記切替手段を制御する制御手段とを備えること
を特徴とするローカル管理装置。
【発明の詳細な説明】
【技術分野】
【０００１】
本発明は、通常時に利用される通常通信経路または非常時に利用される非常通信経路を介して通信を行うことで所定の監視処理を行う監視システム及びローカル管理装置に関する。
【背景技術】
【０００２】
上位のホストコンピュータと下位の情報端末とのネットワークを介した通信において、突発的ななんらかの障害が発生した際の対応策として、あらかじめ通常時の通信に利用する主回線の他に非常時の通信に利用する副回線を設けておき、障害の発生を検知したことに応じて主回線から副回線へと切り替える技術が考案されている（例えば、特許文献１参照。）。
【特許文献１】特開２００３−２８３５４３号公報
【発明の開示】
【発明が解決しようとする課題】
【０００３】
しかしながら、上述した特許文献１で開示されている技術によれば、下位の情報端末からの指示によって主回線から副回線へと切り替えるようになされている。したがって、下位の情報端末を複数備えるように構成した場合には、切り替えの指示が複数送信される可能性があり、主回線のトラフィックが増大してしまうことから限られた通信帯域を大きく圧迫してしまうといった問題がある。
【０００４】
そこで、本発明は、上述した実情に鑑みて提案されたものであり、トラフィックの増大を軽減し限られた通信帯域を圧迫することなく、通常時に利用される通常通信経路から非常時に利用される非常通信経路への切り替えを円滑に実行することができる監視システム及びローカル管理装置を提供することを目的とする。
【課題を解決するための手段】
【０００５】
本発明の監視システムは、複数の被管理端末装置と接続されたローカル管理装置と、通常時に利用される通常通信経路または非常時に利用される非常通信経路を介して前記ローカル管理装置と通信を行うことで、前記複数の被管理端末装置から取得される情報に基づき監視処理を行う上位管理装置とを備える監視システムにおいて、前記ローカル管理装置が、前記通常通信経路と前記非常通信経路とを切り替える切替手段と、前記上位管理装置から通常通信経路を介して送信される切替指示要求を受信したことに応じて、通常通信経路から非常通信経路へと切り替えるよう前記切替手段を制御する制御手段とを有することを特徴とする。
【０００６】
また、本発明の監視システムは、前記ローカル管理装置が、前記切替指示要求を受信してから所定期間、通常通信経路から非常通信経路への切り替えが必要かどうかを判断する判断手段を有し、前記制御手段が、前記判断手段によって、切り替えが必要であると判断されたことに応じて、通常通信経路から非常通信経路へと切り替えるよう前記切替手段を制御することを特徴とする。
【０００７】
また、本発明の監視システムは、前記ローカル管理装置が、前記通常通信経路の利用が可能かどうかを前記上位管理装置に問い合わせる確認要求信号を生成する確認要求信号生成手段を有し、前記ローカル管理装置の判断手段は、前記切替指示要求を受信してから所定期間となるまでの間、前記上位管理装置から前記通常通信経路を介して送信される確認要求信号に対する応答信号である確認応答信号を受信できている場合、前記確認要求信号の送信周期を延ばしていくことを特徴とする。
【０００８】
本発明のローカル管理装置は、複数の被管理端末装置と接続されたローカル管理装置と、通常時に利用される通常通信経路または非常時に利用される非常通信経路を介して前記ローカル管理装置と通信を行うことで、前記複数の被管理端末装置から取得される情報に基づき監視処理を行う上位管理装置とを備える監視システムのローカル管理装置において、前記通常通信経路と前記非常通信経路とを切り替える切替手段と、前記上位管理装置から前記通常通信経路を介して送信される切替指示要求を受信したことに応じて、通常通信経路から非常通信経路へと切り替えるよう前記切替手段を制御する制御手段とを備えることを特徴とする。
【発明の効果】
【０００９】
本発明によれば、通常通信経路のトラフィックの増大を軽減し限られた通信帯域を圧迫することなく、通常時に利用される通常通信経路から非常時に利用される非常通信経路への切り替えを円滑に実行することを可能とする。
【００１０】
また、本発明によれば、上位管理装置から送信される切替指示要求を受信してから所定期間、通常通信経路から非常通信経路への切り替えが必要かどうかを判断するため、通常通信経路の利用可能性を確認するために定期的な通信を継続することがないため、例え、被管理端末装置の数が増えたとしても、通常通信経路のトラフィックの増大を軽減し限られた通信帯域を圧迫することなく、必要に応じて通常通信経路から非常通信経路へと円滑に切り替えることを可能とする。
【００１１】
また、本発明によれば、上位管理装置から送信される切替指示要求を受信したことに応じて、所定期間となるまでの間、上位管理装置から通常通信経路を介して送信される確認要求信号に対する応答信号である確認応答信号を受信できている場合、確認要求信号の送信周期を延ばしていくような通信シーケンスを開始するため、通常通信経路の利用可能性を確認するために定期的な通信を継続することがないため、通常通信経路のトラフィックの増大を徐々に軽減していき限られた通信帯域を圧迫することなく、必要に応じて通常通信経路から非常通信経路へと円滑に切り替えることを可能とする。
【発明を実施するための最良の形態】
【００１２】
以下、本発明の実施の形態について図面を参照して説明する。まず、図１を用いて、本発明の実施の形態として監視システム１について説明をする。図１に示すように監視システム１は、複数の被管理端末装置１５ｎ（ｎは自然数）が接続されたローカル管理装置１０と、上位管理装置２０と、全国各地に設けられた既存の災害通報ネットワークより送信される情報を取得し所定のネットワークを介して提供する災害速報サーバ３０とを備えている。図１に示すように、ローカル管理装置１０と上位管理装置２０とは、所定のネットワークであり通常時に利用される通常通信経路ＮＮまたは所定のネットワークであり非常時に利用される非常通信経路ＡＮによって接続されている。
【００１３】
例えば、監視システム１は、ビルなどの建造物に設置され、建造物の機能運営維持を主体に監視するシステムである。ローカル管理装置１０に接続される複数の被管理端末装置１５ｎは、例えば、建造物内外に設けられた機器設備のセンサ入力値や電流値などを計測するための装置である。
【００１４】
ローカル管理装置１０は、複数の被管理端末装置１５ｎが接続されており、この被管理端末装置１５ｎによって検出された各種情報を取り纏めて管理する装置である。ローカル管理装置１０は、例えば、建造物のフロア毎、所定の管理区域単位など、建造物内外に設置され、被管理端末装置１５ｎから取得した各種情報を、通常時には通常通信経路ＮＮを介して、非常時には非常通信経路ＡＮを介して送信する。
【００１５】
また、ローカル管理装置１０は、通常通信経路ＮＮ、非常通信経路ＡＮを自在に切り替えることができる通信経路切替部１１と、通信経路切替部１１による通常通信経路ＮＮから非常通信経路ＡＮへの切り替えが必要かどうかを判断する切替判断部１２とを備えている。
【００１６】
切替判断部１２は、後述するように上位管理装置２０から通常通信経路ＮＮを介して送信される切替指示要求に応じて開始される、上位管理装置２０との通常通信経路を介した所定の通信シーケンスを経ることで、切り替えが必要かどうかを判断する。この切替判断部１２による所定の通信シーケンスについては後で詳細に説明をする。
【００１７】
上位管理装置２０は、当該監視システム１を統括的に管理する管理装置である。上位管理装置２０は、ローカル管理装置１０から送信される情報を取得したり参照することで、ローカル管理装置１０に対して所定の指示要求などを送信する。監視システム１のシステム管理者は、上位管理装置２０の図示しないモニタなどを介して表示されるローカル管理装置１０から取得した情報、参照した情報を把握し、各種情報に応じた指示要求を出すことになる。
【００１８】
ここで、本発明の実施の形態として示す監視システム１のローカル管理装置１０の切替判断部１２を中心として展開される通信シーケンスにより通常通信経路ＮＮから非常通信経路ＡＮへと切り替える処理動作について説明する前に、図２に示すタイミングチャートを用いて、従来の監視システムにおける通常通信経路ＮＮから非常通信経路ＡＮへと切り替える処理動作について簡単に説明をする。
【００１９】
従来の監視システムでは、ローカル管理装置１００と上位管理装置２００とが、通常時に利用される通常通信経路ＮＮと非常時に利用される非常通信経路ＡＮとで接続された構成となっているものとする。
【００２０】
図２に示すように、ローカル管理装置１００は、通常通信経路ＮＮを利用することができるかどうかを常に把握しておくため、通常通信経路ＮＮを介して上位管理装置２００に対して、周期的（要求信号送信周期Ｔ１ごと）に通常通信経路確認要求信号（以下、確認要求信号と呼ぶ。）を送信し続ける（ステップＳ５１，Ｓ５３，Ｓ５５，Ｓ５６，Ｓ５７）。このとき、ローカル管理装置１００は、上位管理装置２００から通常通信経路確認応答信号（以下、確認応答信号と呼ぶ。）を受信している間（ステップＳ５２，Ｓ５４）、通常通信経路ＮＮを利用することができると判断することができる。
【００２１】
これに対し、ローカル管理装置１００は、ステップＳ５５以降（ステップＳ５６，Ｓ５７）、確認応答信号を受信できないため、通常通信経路ＮＮが途中で途絶したと判断し、非常通信経路ＡＮへと切り替える（ステップＳ５８）。
【００２２】
このように、ローカル管理装置１００から、要求信号送信周期Ｔ１ごとに、通常通信経路ＮＮを介して確認要求信号を送信し続ける構成とすると、例えば、管理する対象の増加などによりローカル管理装置１００の台数が増えてしまった場合、通常通信経路ＮＮのトラフィックが増大し限られた通信帯域を圧迫してしまうことになる。
【００２３】
そこで、本発明の実施の形態として示す監視システム１では、ローカル管理装置１０の切替判断部１２を中心として展開される図３、図４のタイミングチャートに示すような通信シーケンスを実行することで、通常通信経路ＮＮのトラフィックの増大を軽減し限られた通信帯域を圧迫することなく、通常通信経路ＮＮから非常通信経路ＡＮへと円滑に切り替えることができるような構成となっている。
【００２４】
まず、図３に示すタイミングチャートを用いて、ローカル管理装置１０の切替判断部１２を中心として展開される通信シーケンスにより通常通信経路ＮＮから非常通信経路ＡＮへと切り替える切替制御処理動作について説明をする。
【００２５】
まず、ステップＳ１において、災害速報サーバ３０から所定のネットワークを介して上位管理装置２０に対して災害速報が通知される。
【００２６】
ステップＳ２において、上位管理装置２０は、災害速報サーバ３０から災害速報を通知されたことに応じて、通常通信経路ＮＮから非常通信経路ＡＮへの切り替え指示を要求する切替指示要求信号を、通常通信経路ＮＮを介してローカル管理装置１０に送信する。
【００２７】
なお、ステップＳ１の処理は、必ずしも必要ではなく、状況によっては、上位管理装置２０を管理するシステム管理者の判断により手動で切替指示要求信号をローカル管理装置１０に対して送信するようにしてもよい。
【００２８】
ステップＳ３において、ローカル管理装置１０の切替判断部１２は、通常通信経路確認要求信号（以下、確認要求信号と呼ぶ。）を、通常通信経路ＮＮを介して、上位管理装置２０に送信する。
【００２９】
ステップＳ４において、上位管理装置２０は、確認要求信号を受信したことに応じて、通常通信経路確認応答信号（以下、確認応答信号と呼ぶ。）を、通常通信経路ＮＮを介して、ローカル管理装置１０に送信する。
【００３０】
ステップＳ５において、ローカル管理装置１０の切替判断部１２は、応答信号受信待ち時間Ｔ２以内に、上位管理装置２０から確認応答信号を受信したことに応じて、要求信号送信周期Ｔ１ごとに、確認要求信号を送信する。なお、要求信号送信周期Ｔ１と、応答信号受信待ち時間Ｔ２とは、Ｔ１＞Ｔ２という関係になっている。
【００３１】
なお、図３に示すタイミングチャートでは、ステップＳ４とステップＳ５との間において、通常通信経路ＮＮが途絶したものとして説明をする。
【００３２】
ステップＳ６において、ローカル管理装置１０の切替判断部１２は、ステップＳ５において、確認要求信号を送信したにもかかわらず、応答信号受信待ち時間Ｔ２以内に確認応答信号を受信することができないため、応答信号受信待ち時時間Ｔ２の経過後、確認要求信号を送信する。
【００３３】
ステップＳ７において、ローカル管理装置１０の切替判断部１２は、ステップＳ６において、確認要求信号を送信したにもかかわらず、応答信号受信待ち時間Ｔ２以内に確認応答信号を受信することができないため、応答信号受信待ち時時間Ｔ２の経過後、再度、確認要求信号を送信する。
【００３４】
切替判断部１２は、上位管理装置２０から送信される確認応答信号を受信できない場合具体的には、確認要求信号を連続して送信し続けるリトライ回数Ｎ１が所定の回数Ａ以下の場合（Ｎ１≦Ａ）、確認要求信号を応答信号受信待ち時間Ｔ２ごとに連続して送信し続けることになる。
【００３５】
このとき、切替判断部１２は、Ｎ１≦Ａの状態で、上位管理装置２０から確認応答信号を受信できた場合、通常通信経路ＮＮが途絶していないとして、非常通信経路ＡＮへと切り替えるよう指示を出すことなく通常通信経路ＮＮを介した通信を継続させる。
【００３６】
また、切替判断部１２は、このように、確認要求信号を送信したにもかかわらず、確認応答信号を受信できない状態、つまり確認要求信号を連続して送信し続けるリトライ回数Ｎ１が所定の回数Ａよりも大きくなった場合（Ｎ１＞Ａ）、通常通信経路ＮＮが途絶したものとして、非常通信経路ＡＮへと切り替えるよう通信経路切替部１１を制御する（ステップＳ８）。
【００３７】
つまり、切替判断部１２は、上位管理装置２０から送信される切替指示要求信号を受信してから所定期間、上述したような通信シーケンスを実行することで通常通信経路ＮＮから非常通信経路ＡＮへの切り替えが必要かどうかを判断することになる。
【００３８】
このようにして、ローカル管理装置１０の切替判断部１２は、上位管理装置２０から送信される切替指示要求信号を受信したことに応じて、所定期間となるまでの間、上述したような通信シーケンスを開始するため、通常通信経路ＮＮの利用可能性を確認するために定期的な通信を継続することがないため、例え、被管理端末装置１５ｎの数が増えたとしても、通常通信経路ＮＮのトラフィックの増大を軽減し限られた通信帯域を圧迫することなく、必要に応じて通常通信経路ＮＮから非常通信経路ＡＮへと円滑に切り替えることができる。
【００３９】
また、ローカル管理装置１０の切替判断部１２は、例えば、ネットワーク機器の電源コンセントが抜けたことなどによる一時的な通常通信経路ＮＮの不通が発生したとしても、上位管理装置２０から送信される切替指示要求を受信してから所定期間、上述したような通信シーケンスを実行することで通常通信経路ＮＮから非常通信経路ＡＮへの切り替えが必要かどうかを判断するため、不必要に非常通信経路ＡＮへと切り替えてしまうことを回避することができる。
【００４０】
次に、図４に示すタイミングチャートを用いて、ローカル管理装置１０の切替判断部１２を中心として展開される通信シーケンスにより通常通信経路ＮＮから非常通信経路ＡＮへと切り替える切替制御処理動作について説明をする。
【００４１】
まず、ステップＳ１１において、災害速報サーバ３０から所定のネットワークを介して上位管理装置２０に対して災害速報が通知される。
【００４２】
ステップＳ１２において、上位管理装置２０は、災害速報サーバ３０から災害速報を通知されたことに応じて、通常通信経路ＮＮから非常通信経路ＡＮへの切り替え指示を要求する切替指示要求信号を、通常通信経路ＮＮを介してローカル管理装置１０に送信する。
【００４３】
なお、ステップＳ１１の処理は、必ずしも必要ではなく、状況によっては、上位管理装置２０を管理するシステム管理者の判断により手動で切替指示要求信号をローカル管理装置１０に対して送信するようにしてもよい。
【００４４】
ステップＳ１３において、ローカル管理装置１０の切替判断部１２は、確認要求信号を、通常通信経路ＮＮを介して、上位管理装置２０に送信する。
【００４５】
ステップＳ１４において、上位管理装置２０は、確認要求信号を受信したことに応じて、確認応答信号を、通常通信経路ＮＮを介して、ローカル管理装置１０に送信する。
【００４６】
ステップＳ１５において、ローカル管理装置１０の切替判断部１２は、応答信号受信待ち時間Ｔ２以内に、上位管理装置２０から確認応答信号を受信したことに応じて、要求信号送信周期Ｔ１ごとに、確認要求信号を送信する。このときの要求信号送信周期Ｔ１をＴａとする（Ｔ１＝Ｔａ）。
【００４７】
ステップＳ１６において、上位管理装置２０は、確認要求信号を受信したことに応じて、確認応答信号を、通常通信経路ＮＮを介して、ローカル管理装置１０に送信する。
【００４８】
ステップＳ１７において、ローカル管理装置１０の切替判断部１２は、応答信号受信待ち時間Ｔ２以内に、上位管理装置２０から確認応答信号を受信したことに応じて、要求信号送信周期Ｔ１ごとに、確認要求信号を送信する。このときの要求信号送信周期Ｔ１をＴｂとする（Ｔ１＝Ｔｂ＞Ｔａ）。
【００４９】
ステップＳ１８において、上位管理装置２０は、確認要求信号を受信したことに応じて、確認応答信号を、通常通信経路ＮＮを介して、ローカル管理装置１０に送信する。
【００５０】
ステップＳ１８以降、ローカル管理装置１０の切替判断部１２は、応答信号受信待ち時間Ｔ２以内に、上位管理装置２０から確認応答信号を受信したことに応じて、要求信号送信周期Ｔ１ごとに、確認要求信号を送信する。このときの要求信号送信周期Ｔ１をＴｃとする（Ｔ１＝Ｔｃ＞Ｔｂ＞Ｔａ）。
【００５１】
つまり、ローカル管理装置１０の切替判断部１２は、確認要求信号を送信したことに応じて、応答信号受信待ち時間Ｔ２以内に、上位管理装置２０から確認応答信号を受信するたびに、確認要求信号を送信する送信周期を延ばしていく。最終的には、切替判断部１２は、要求信号送信周期Ｔ１が、Ｔｍａｘを超えた（Ｔ１＞Ｔｍａｘ＞…＞Ｔｃ＞Ｔｂ＞Ｔａ）直後に、ローカル管理装置１０から送信される確認要求信号に対して、上位管理装置２０から送信される確認応答信号を通常通信経路ＮＮを介して受信できた場合に、通常通信経路ＮＮは途絶していないものとして、確認要求信号の送信を停止する。
【００５２】
一方、ローカル管理装置１０の切替判断部１２は、要求信号送信周期Ｔ１が、Ｔｍａｘを超える前に、確認応答信号を受信できなかった場合、通常通信経路ＮＮが途絶したものとして、非常通信経路ＡＮへと切り替えるよう通信経路切替部１１を制御する。
【００５３】
つまり、切替判断部１２は、上位管理装置２０から送信される切替指示要求信号を受信してから所定期間、上述したような通信シーケンスを実行することで通常通信経路ＮＮから非常通信経路ＡＮへの切り替えが必要かどうかを判断することになる。
【００５４】
このようにして、ローカル管理装置１０の切替判断部１２は、上位管理装置２０から送信される切替指示要求信号を受信したことに応じて、所定期間となるまでの間、上位管理装置２０から通常通信経路ＮＮを介して送信される確認要求信号に対する応答信号である確認応答信号を受信できている場合、確認要求信号の送信周期である要求信号送信周期Ｔ１を延ばしていくような通信シーケンスを開始するため、通常通信経路ＮＮの利用可能性を確認するために定期的な通信を継続することがない。そのため、通常通信経路ＮＮのトラフィックの増大を徐々に軽減していき限られた通信帯域を圧迫することなく、必要に応じて通常通信経路ＮＮから非常通信経路ＡＮへと円滑に切り替えることができる。
【００５５】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５６】
【図１】本発明の実施の形態として示す監視システムの構成について説明するためのブロック図である。
【図２】従来の技術として示す監視システムにおける通常通信経路から非常通信経路へと切り替える切替処理動作について説明するためのタイミングチャートである。
【図３】本発明の実施の形態として示す監視システムにおける通常通信経路から非常通信経路へと切り替える切替処理動作について説明するためのタイミングチャートである。
【図４】同じく、本発明の実施の形態として示す監視システムにおける通常通信経路から非常通信経路へと切り替える切替処理動作について説明するためのタイミングチャートである。
【符号の説明】
【００５７】
１  監視システム
１０  ローカル管理装置
１１  通信経路切替部
１２  切替判断部
１５ｎ  被管理端末装置
２０  上位管理装置
３０  災害速報サーバ
【図１】
2009033312.tif 000003
【図２】
2009033312.tif 000004
【図３】
2009033312.tif 000005
【図４】
2009033312.tif 000006